(57)【要約】【課題】パイルの拡散性を向上させることができ、その結果、ワークの表面にパイルをより均一に植毛することができる静電植毛パイル拡散ノズルを提供すること。【解決手段】パイル２１を噴出する噴出しノズル１１と、噴出しノズル１１を覆うように設けられた円錐状のノズル本体１２と、ノズル本体１２の内側であって噴出しノズル１１の前方に配置された邪魔板１３と、を備える静電植毛パイル拡散ノズル４である。また、邪魔板１３とノズル本体１２との間にパイル２１が通過する間隙Ｓを設けている。【選択図】図２
2010005507.tif 000002
【特許請求の範囲】
【請求項１】
空気搬送されてきたパイルを被植毛体の表面に塗布するための静電植毛パイル拡散ノズルであって、
前記パイルを噴出する噴出しノズルと、
前記噴出しノズルを覆うように設けられた円錐状のノズル本体と、
前記ノズル本体の内側であって前記噴出しノズルの前方に配置された邪魔板と、
を備え、
前記邪魔板と前記ノズル本体との間に前記パイルが通過する間隙が設けられていることを特徴とする、静電植毛パイル拡散ノズル。
【請求項２】
前記ノズル本体の中心軸上に配置された棒状電極と、
前記棒状電極に取り付けられ、前記ノズル本体の前方に配置されたフロント電極と、
を備え、
前記邪魔板が、当該邪魔板の中心部において前記棒状電極に取り付けられていることを特徴とする、請求項１に記載の静電植毛パイル拡散ノズル。
【発明の詳細な説明】
【技術分野】
【０００１】
本発明は、空気搬送されてきたパイルを被植毛体の表面に塗布するための静電植毛パイル拡散ノズルに関する。
【背景技術】
【０００２】
この種の技術としては、例えば特許文献１に記載されたような技術がある。特許文献１に記載された静電植毛装置は、強風を吹き付ける強風吹出し機構（１４）を内装したパイル吹き付けノズル（１３）を有している。このパイル吹き付けノズル（１３）により、パイル（短繊維）が強い風に乗ってワーク（アースされた被植毛体）に吹き付けられる。そのため、本技術により「パイルのワークに対する引着は電界作用だけでなく強い風による吹き付けもともなうので、ワークの表面形状に関係なく均一の植毛ができる」と称されている。
【０００３】
【特許文献１】特開平９−１５５２４１号公報
【発明の開示】
【発明が解決しようとする課題】
【０００４】
しかしながら、特許文献１に記載された技術では、強風吹出し機構（１４）から噴出したパイルは、そのまま前方へ進もうとする流れの勢いが強くて拡散しにくい。そして、拡散しにくいとワークの表面にパイルが均一に植毛されない場合がある。
【０００５】
本発明は、上記実情に鑑みてなされたものであって、その目的は、パイルの拡散性を向上させることができ、その結果、ワークの表面にパイルをより均一に植毛することができる静電植毛パイル拡散ノズルを提供することである。
【課題を解決するための手段及び効果】
【０００６】
本発明者らは、前記課題を解決すべく鋭意検討した結果、円錐状のノズル本体の中に、パイルの流れの勢いを抑制する邪魔板を設けることで、パイルの拡散性を向上させることができ、これにより前記課題を解決できることを見出し、この知見に基づき本発明が完成するに至ったのである。
【０００７】
すなわち、上記課題を解決するために本発明は、空気搬送されてきたパイルを被植毛体の表面に塗布するための静電植毛パイル拡散ノズルであって、前記パイルを噴出する噴出しノズルと、前記噴出しノズルを覆うように設けられた円錐状のノズル本体と、前記ノズル本体の内側であって前記噴出しノズルの前方に配置された邪魔板と、を備え、前記邪魔板と前記ノズル本体との間に前記パイルが通過する間隙が設けられている静電植毛パイル拡散ノズルを提供する。
【０００８】
この構成によると、噴出しノズルから噴出したパイルは、ノズル本体の内側に設けられた邪魔板に空気とともに衝突し、その流れの勢いが抑えられるとともに、流れの向きが変化する。その後、邪魔板とノズル本体との間に設けられた間隙を空気とともにパイルが通過していく。これらによりパイルの拡散性が向上し、パイルは被植毛体（ワーク）の表面に向かって均一密度で飛んでいき、その結果、被植毛体の表面にパイルをより均一に植毛することができる。
【０００９】
また本発明において、前記ノズル本体の中心軸上に配置された棒状電極と、前記棒状電極に取り付けられ、前記ノズル本体の前方に配置されたフロント電極と、を備え、前記邪魔板が、当該邪魔板の中心部において前記棒状電極に取り付けられていることが好ましい。
【００１０】
この構成によると、ノズル本体の中心軸上に棒状電極が配置され、かつ、この棒状電極を中心にして邪魔板が配置される。すなわち、棒状電極および邪魔板はノズル本体の中心に配置される。これにより、ノズル本体から出ていくパイルの流れの均一性を向上させることができ、被植毛体の表面にパイルをより均一に植毛することができる。
【発明を実施するための最良の形態】
【００１１】
以下、本発明を実施するための最良の形態について図面を参照しつつ説明する。なお、被植毛体（ワーク）としては様々なものがあるが、以下の説明においては、ベルトスリーブを植毛する例について記載する。ベルトスリーブとは、輪状の形態であるベルト（伝動ベルト）の製造工程における途中段階の製造品であって、筒状の形態を有するものである（輪状に複数に切断されてベルトとなる。）。ベルトスリーブに植毛し（植毛工程）、その後いくつかの工程を経て、植毛が施されたベルトが完成する。植毛されることによりベルトは、その摩擦係数が安定し、発生音も抑制される。なお、リブベルトおよび歯付きベルトなどの凹凸のあるベルトや、凹凸のない平ベルトなど、様々な種類のベルトが植毛対象となる。
【００１２】
（静電植毛装置）
まず、静電植毛装置について説明する。図１は、本発明の一実施形態に係る静電植毛パイル拡散ノズル４（以下、「拡散ノズル４」と呼ぶ）を具備する静電植毛装置１００を示す概略図である。
図１に示すように、静電植毛装置１００は、パイル（短繊維）を貯留するホッパー１と、送風装置（不図示）からの空気とともにパイルが流れるエアホース２と、エアホース２が接続される塗布ガン１０とを備えている。塗布ガン１０は電源に接続されている。また塗布ガン１０は、塗布ガン本体３と、その先端に取り付けられた拡散ノズル４とから構成されている。
【００１３】
ホッパー１からのパイルは、エアホース２内を空気搬送されて塗布ガン１０に供給される。そして、塗布ガン１０先端の拡散ノズル４から被植毛体であるベルトスリーブ５に向けてパイルが吹き付けられる。
【００１４】
（静電植毛パイル拡散ノズルの構成）
図２は、図１に示す拡散ノズル４の詳細図である。図２（ａ）は、拡散ノズル４の一部断面図であり、図２（ｂ）は、図２（ａ）のＡ−Ａ矢視図である。
図２に示すように、拡散ノズル４は、パイル２１を噴出する噴出しノズル１１と、噴出しノズル１１を覆うように設けられた円錐状のノズル本体１２と、ノズル本体１２の中心軸上に配置された棒状電極１４と、棒状電極１４の先端に取り付けられたフロント電極１５と、ノズル本体１２の内側であって噴出しノズル１１の前方に配置された邪魔板１３とを備えている。そして、拡散ノズル４は塗布ガン本体３に対して４本のボルト２２で取り付けられている。なお、図２に示したように被植毛体であるベルトスリーブ５は、その成形型６に固定されている。
【００１５】
噴出しノズル１１は先細りの直円錐状に形成されている。そして噴出しノズル１１の中央部には貫通孔が形成され、その貫通孔に棒状電極１４が内挿されている。噴出しノズル１１の内面と棒状電極１４との間を空気とともにパイル２１が流れる。
【００１６】
ノズル本体１２は、噴出しノズル１１から噴出するパイル２１が四方八方に飛散することを防止してパイル２１がベルトスリーブ５に向かうようにするためのものであり、後端部から先端部へ向けて、徐々に拡径しその後同径の部分を有する直円錐状の形態となっている。ノズル噴出しノズル１１は、ノズル本体１２の後端部中央に配置されている。本体１２の材質としては、例えばＰＶＣ（ポリ塩化ビニール）、ＰＥ（ポリエチレン）などの合成樹脂が挙げられる。
【００１７】
棒状電極１４は、一端が塗布ガン本体３の内部において電源からのケーブル（不図示）に接続され（図１参照）、他端がフロント電極１５に取り付けられている。フロント電極１５は、ノズル本体１２の先端から１０ｍｍ前方に配置されている。また図２（ｂ）に示したように、フロント電極１５は、ノズル本体１２のパイル出口の領域を電極で張り巡らした形態となっている。具体的には、フロント電極１５は２ｍｍ程度の線材で形成されており、円形に加工した線材の内側に、直線状の線材を相互に直行するように溶接により固定したものである。本実施形態では３本の平行な線材と、この線材に直行する１本の線材とが、円形に加工した線材の内側に配設されている。そして、フロント電極１５の中心と、棒状電極１４の先端とが強固に固定されている。
【００１８】
邪魔板１３は、中心に孔が形成された円板部１３ａと、この孔に合わせて円板１３ａに対して垂直に取り付けられた円筒部１３ｂとを有している。円板部１３ａの孔および円筒部１３ｂが棒状電極１４に対して外挿されて、邪魔板１３は棒状電極１４に強固に固定されている。そして邪魔板１３の外周面と、ノズル本体１２の内周面との間にパイル２１が通過する間隙Ｓが設けられている。間隙Ｓは、環状の間隙であり、ノズル本体１２の中心軸に直交する断面において邪魔板１３まわりに均一の幅で形成されている。また、邪魔板１３の外周面の角部は、パイル２１の流れが滑らかとなるよう面取りが施されている。また、邪魔板１３とノズル本体１２の先端部との間は所定の間隔があけられている。邪魔板１３の材質としては、例えばＰＶＣ（ポリ塩化ビニール）、ＰＥ（ポリエチレン）などの合成樹脂が挙げられる。
【００１９】
（パイルの流れ）
パイル２１の流れを図２（ａ）に点線および矢印で示している。図２（ａ）に示したように、エアホース２を通って空気搬送されてきたパイル２１は、まず拡散ノズル４の噴出しノズル１１に到達し、この噴出しノズル１１の先端部からノズル本体１２内に噴出する。そしてノズル本体１２内に噴出したパイル２１は、ノズル本体１２の内側に設けられた邪魔板１３に空気とともに衝突し、その流れの勢いが抑えられるとともに、流れの向きが変化する。その後、邪魔板１３とノズル本体１２との間に設けられた間隙Ｓを空気とともにパイル２１が通過していく。そして、パイル２１は、ノズル本体１２から出て、電界を発生させるフロント電極１５の間を通過しベルトスリーブ５の表面に到達する。
【００２０】
（実施例）
本実施形態の拡散ノズル４を用いた場合と、邪魔板１３を有さずかつフロント電極が内側に配置された従来の静電植毛パイル拡散ノズルを用いた場合との、パイル塗布比較実験を行った。ここでは、その実験結果について説明する。
【００２１】
まず、ベルトスリーブ５の表面に吹き付けられるパイル２１の均一性についてであるが、本実施形態の拡散ノズル４を用いた場合、目視評価によりパイル２１の十分な均一性が確認された。一方、従来の上記静電植毛パイル拡散ノズルを用いた場合は、パイル２１の均一性が確認されなかった。そのため、本実施形態の拡散ノズル４を用いた場合、拡散ノズル４前方のベルトスリーブ５の表面にパイル２１を均一に塗布することができたが、従来の静電植毛パイル拡散ノズルの場合は、拡散ノズル前方の当該ノズルの一部範囲にしかパイル２１を塗布することができなかった。
【００２２】
また、本実施形態の拡散ノズル４では、植毛実験後の拡散ノズル４にパイル２１の停留は認められなかったが、従来の静電植毛パイル拡散ノズルの場合は、植毛実験後の拡散ノズルに複数箇所、パイル２１の停留が認められた。
【００２３】
以上説明したように、本実施形態の拡散ノズル４によると、空気搬送されてきたパイル２１の拡散性を向上させることができ、パイル２１はベルトスリーブ５の表面に向かって均一密度で飛んでいく。その結果、ベルトスリーブ５の表面にパイル２１を従来よりも均一に植毛することができる。
【００２４】
また、本実施形態の拡散ノズル４においては、フロント電極１５をノズル本体１２の先端から１０ｍｍ前方に配置しているので、フロント電極１５とノズル本体１２との間にパイル２１が停留することを防止することができている。なお、必ずしもフロント電極１５をノズル本体１２の前方に配置する必要はなく、ノズル本体１２の中（内側）に配置してもよい。
【００２５】
また、本実施形態では、ノズル本体１２の中心軸上に棒状電極１４が配置され、かつ、この棒状電極１４を中心にして邪魔板１３が配置される。すなわち、棒状電極１４および邪魔板１３はノズル本体１２の中心に配置される。これにより、ノズル本体１２から出ていくパイル２１の流れの均一性をより向上させることができ、被植毛体であるベルトスリーブ５の表面にパイル２１をより均一に植毛することができている。
【００２６】
以上、本発明の実施形態について説明したが、本発明は上述の実施の形態に限られるものではなく、特許請求の範囲に記載した限りにおいて様々に変更して実施することができるものである。
【図面の簡単な説明】
【００２７】
【図１】本発明の一実施形態に係る静電植毛パイル拡散ノズルを具備する静電植毛装置を示す概略図である。
【図２】図１に示す静電植毛パイル拡散ノズルの詳細図である。
【符号の説明】
【００２８】
４：静電植毛パイル拡散ノズル
５：ベルトスリーブ（被植毛体）
１１：噴出しノズル
１２：ノズル本体
１３：邪魔板
１４：棒状電極
１５：フロント電極
２１：パイル
【図１】
2010005507.tif 000003
【図２】
2010005507.tif 000004